(57)【特許請求の範囲】
【請求項１】
鏡面に掛止する上側鏡止め金具部分を含んで鏡面を被覆する帯板状の垂直板部とその垂直板部に連設され、鏡端面を被覆する水平板部とを有する上フレーム板部と、その上フレーム板部の水平板部に連設され且つ上記垂直板部とで鏡端部を弾性的に挟持する溝構成板部とを備える樹脂製の鏡フレームであって、
上記水平板部裏面には、鏡端面上に位置する上記鏡止め金具の厚みと同一またはそれ以上の高さを有する隙間防止手段が設けられ、
該隙間防止手段は上記上側鏡止め金具と干渉しないように切欠部が形成されることを特徴とする鏡フレーム。
【請求項２】
前記隙間防止手段は、前記上フレーム板部の前記水平板部裏面から鉛直方向下方に突出して形成されたリブであることを特徴とする請求項１記載の鏡フレーム。
【請求項３】
前記溝構成板部は、側面視略く字状に形成され、壁面と接触する上記溝構成板部と水平板部の交点と、鏡の裏面に接触するく字屈曲の頂点とを有し、上記交点及び頂点には軟質の滑り止め手段が施されていることを特徴とする請求項１記載の鏡フレーム。
【発明の詳細な説明】
【技術分野】
【０００１】
本発明は、壁面に取り付けられる鏡の上縁を縁取る鏡フレームに係り、特に樹脂系の材料により形成された鏡フレームに関する。
【背景技術】
【０００２】
従来の鏡フレームとして、鏡面に掛止する鏡止め具部分を含んで鏡面を被覆する帯板状の垂設板部とその垂設板部に連設され、鏡端面を被覆する水平板部とを有する側面視Ｌ型状の化粧縁板部と、その化粧縁板部の水平板部に連設され且つ上記垂設板部とで鏡端部を弾性的に挟持する嵌合挟持溝構成用の溝構成板部と、その溝構成板部において鏡止め金具と対応する部分に先端から切欠状に設けられた金具避け部とを備えているものが知られている（例えば、特許文献１参照。）。
【０００３】
しかしながら、鏡と鏡フレームの間には、上側鏡止め具が所定の間隔を空けて取付けられているため、剛性の低い樹脂製の鏡フレームの場合、図６に示すように、鏡フレーム１０１の裏面を一番下側まで嵌め込むと、上側鏡止め具１０２がある部分と、ない部分とで段差ができ、鏡フレーム１０１を取り付けた状態が波を打ったようになってしまう。剛性の高い金属性の鏡フレームを採用すればこの問題は生じないが、高価である。
【０００４】
また、図７に示すように、上縁を縁取る鏡フレームを上フレーム１０３と上目地１０４との２部材で構成したものがある。この構成においても、上述した鏡フレームと同様、上目地が波打つ問題がある。
【０００５】
【特許文献１】実用新案登録第２５８３２６５号公報
【発明の開示】
【発明が解決しようとする課題】
【０００６】
本発明は、上述した事情を考慮してなされたもので、剛性の低い樹脂性鏡フレームであっても、取り付けた状態での波打ちを防止して、綺麗に取り付けられる鏡フレームを提供することを目的とするものである。
【課題を解決するための手段】
【０００７】
本発明に係る鏡フレームは、上述した課題を解決するために、鏡面に掛止する上側鏡止め金具部分を含んで鏡面を被覆する帯板状の垂直板部とその垂直板部に連設され、鏡端面を被覆する水平板部とを有する上フレーム板部と、その上フレーム板部の水平板部に連設され且つ上記垂直板部とで鏡端部を弾性的に挟持する溝構成板部とを備える樹脂製の鏡フレームであって、上記水平板部裏面には、鏡端面上に位置する上記鏡止め金具の厚みと同一またはそれ以上の高さを有する隙間防止手段が設けられ、該隙間防止手段は上記上側鏡止め金具と干渉しないように切欠部が形成されるものである。
【０００８】
そして、前記隙間防止手段は、好適には、前記上フレーム板部の前記水平板部裏面から鉛直方向下方に突出して形成されたリブであってもよい。
【０００９】
また、前記溝構成板部は、好適には、側面視略く字状に形成され、壁面と接触する上記溝構成板部と水平板部の交点と、鏡の裏面に接触するく字屈曲の頂点とを有し、上記交点及び頂点には軟質の滑り止め手段が施されていることが望ましい。
【発明の効果】
【００１０】
本発明に係る鏡フレームによれば、剛性の低い樹脂性鏡フレームであっても、取り付けた状態での波打ちを防止して、綺麗に取り付けることができる。
【発明を実施するための最良の形態】
【００１１】
本発明に係る鏡フレームの実施形態について、添付図面を参照して説明する。図１は、本発明に係る鏡フレームを備えるシステムバス１の概略を示すものである。
【００１２】
同図に示すように、システムバス１は、床２と壁面３と浴槽４と天井５とから構成される。そして、一の壁面３には、洗い場水栓６及びシャワー７が取設されたアッパーカウンタ８と、その下には洗面器等を載置するロアーカウンタ９とが設けられ、アッパーカウンタ８上には、上下を下フレーム１３及び上フレーム１４に縁取られた鏡１０が取り付けられる。
【００１３】
図２は、この鏡１０の取付構成を示す上フレーム１４周りの正面図であり、図３は、図２中のＡ−Ａ方向を見た断面図である。図２及び図３に示すように、鏡１０の上縁は、一定間隔にビス止めされた複数の上側鏡止め具１６に掛止保持され、鏡１０の上縁の全長に亘って上フレーム１４によって掩蔽される。
【００１４】
上側鏡止め具１６は、図４に示すように、固定部材１７と可動部材１８とばね１９とからなる。固定部材１７は、鋼板等の板材の折り曲げ成形からなり、前面の左右に複数対の縦ガイド溝１７ａ，１７ａ及び一対のばね受部１７ｂ、１７ｂが起設されている。この固定部材１７の下部には、鏡１０裏面を押圧する折曲部１７ｃが略く字状に折曲形成される。また、固定部材１７の下側にねじ用孔１７ｄが開けられ、このねじ用孔１７ｄに止めねじが挿通される。
【００１５】
可動部材１８は、鋼板等の板材の折り曲げ成形からなり、下側の左右一対の脚部１８ａ，１８ａと上側の鉤部１８ｂと前面のばね掛け部１８ｃとを有する。各脚部１８ａ，１８ａは各縦ガイド溝１７ａ．１７ａに嵌合することで、上下動のみ可能にガイドされる。鉤部１８ｂは上端から前側に断面視略コ字形に起設され、鏡１０の上縁に係止される。ばね掛け部１８ｃは鉤部１８ｂの近傍で左右方向中央に起設される。 
ばね１９は、ばね性を有する線材（例えば、ピアノ線）により、左右対称の略逆Ｖ字状（概ねΩ字に類似した形状）に形成されている。すなわち、ばね１９の中央部１９ａが下向きの略ヘアピン形に形成され、これの両端側の基部１９ｂ，１９ｂから斜め下方へ略ハ字形に開かれて傾斜部１９ｃ，１９ｃが形成され、更にこれの両端が折返されて端末部１９ｄ，１９ｄとされ、傾斜部１９ｃ，１９ｃ同士が離反する方向に弾発されている。
【００１６】
このばね１９は、各基部１９ｂ，１９ｂを固定部材１７のばね受部１７ｂに掛けられ、中央部１９ａを可動部材１８のばね掛け部１８ｃに掛けられることで、固定部材１７に上下動のみ可能に嵌合された状態の可動部材１８を下方へ弾発する。 
上フレーム１４は、図５に示すように、上フレーム板部１４ａ、その上フレーム板部１４ａと協働して嵌合挟持溝１４ｄを構成する溝構成板部１４ｅとの合成樹脂材からなる一体成形品である。
【００１７】
上フレーム板部１４ａは、鏡１０の上縁と同一長さに切裁してなり、鏡１０上縁における鏡面縁部の所定部分を上側鏡止め具１６の鉤部１８ｂ垂直部分にオーバーラップして被覆する程度の幅を有する帯板状の垂直板部１４ｂの基端部から鏡１０端面を鉤部１８ｂ水平部分にオーパーラップして被覆する程度の幅を有する帯板状の水平板部１４ｃとを同一体に形成している。 
溝構成板部１４ｅは、水平板部１４ｃの遊端部から頂点１４ｆを上記垂直板部１４ｂ方向に向けた側面視くの字状に連設して垂直板部１４ｂとで嵌合挟持溝１４ｄを形成してなり、頂点１４ｆと垂直板部１４ｂとで鏡面１０に掛止する上側鏡止め具１６の鉤部１８ｂ垂直部分を含んで鏡１０端部を挟持するようになっている。
【００１８】
先端部位の傾斜板部１４ｇは、垂直板部１４ｂから離れる方向に傾斜させてその先端と垂直板部１４ｂとの間に鉤部１８ｂ垂直部分の肉厚と鏡１０の肉厚よりも若干大きな空間が確保されるように形成し、頂点１４ｆは、無負荷時に垂直板部１４ｂに対して鉤部１８ｂ垂直部分の肉厚寸法及び鏡１０の肉厚寸法の合計寸法よりも狭い間隔を隔てるまで接近するように形成してある。
【００１９】
この溝構成部１４ｅは、上側鏡止め具１６の鉤部１８ｂ水平部分と対応する位置に、その鉤部１８ｂ水平部分を避ける金具回避部（図示せず）が先端から切欠形成してなり、鏡１０端部を挟持する際にその金具回避部内に鉤部１８ｂ水平部分が嵌まり込むようになっている。
【００２０】
溝構成板部１４ｅの、壁面３と接触する溝構成板部１４ｅと水平板部１４ｃの交点１４ｈと、鏡１０の裏面に接触するく字状に屈曲する頂点１４ｆとには、滑り止め手段としての軟質のエラストマー１４ｉ，１４ｊが施される。
【００２１】
そして、上フレーム板部１４ａの水平板部１４ｃ裏面には、上側鏡止め具１６の鉤部１８ｂ水平部分の厚みと同一またはそれ以上の高さを有する隙間防止手段としてのリブ１４ｋが鉛直方向下方に突出して形成される。
【００２２】
このリブ１４ｋは、上側鏡止め具１６の鉤部１８ｂ水平部分と対応する位置に、その鉤部１８ｂ水平部分を避ける切欠部１４ｌ（図２参照）が先端から切欠形成してなり、鏡１０端部を挟持する際にその切欠部１４ｌ内に鉤部１８ｂ水平部分が嵌まり込むようになっている。
【００２３】
また、上フレーム板部１４ａの上面には、溝構成板部１４ｅと壁面３との隙間から鏡１０裏面に水が回り込むことを防止する軟質なヒレ部１４ｍが設けられる。
【００２４】
次に、この実施形態における上フレーム１４の取り付けについて簡単に説明すると、上側鏡止め具１６で上端を壁面３に固定された鏡１０の上端部において、壁面３と鏡１０裏面との間に確保される空間から溝構成板部１４ｅが差し込まれるように上フレーム１４を壁面３と平行な方向から人為的に押し込む。
【００２５】
上フレーム１４は、溝構成板部１４ｅ先端の傾斜板部１４ｇのガイド機能で同空間内に頂点１４ｆを押し広げるように進入し、その頂点１４ｆと垂直板部１４ｂとで上側鏡止め具１６の鉤部１８ｂ垂直部分と鏡１０の裏面とを弾性的に挟持して室内に露出する上側鏡止め具１６の鉤部１８ｂをカバーする。
【００２６】
本実施の形態に係る上フレーム（鏡フレーム）は上記のように構成されており、以下そのメリットについて説明する。
【００２７】
まず、図２に示したように、鏡１０の上端には、水平板部１４ｃ裏面に突設されたリブ１４ｋの先端が当接し、鉤部１８ｂ水平部分の肉厚より大きい高さが確保される。これにより水平板部１４ｃは波打つことなく、直線性が保たれるので美観を損なうことはない。
【００２８】
次に、上フレーム１４は、上目地と一体成形されているので、分割形成された従来例のように上目地１０２が外れ易いという問題は生じない。
【００２９】
そして、１部材で構成されるために、コストが安く、２部材のジョイント部分に汚れがたまる溝が生じることもない。また、製作時に上フレームと上目地との長さを合わせなければならないという問題も生じない。
【００３０】
さらに、施工時には、上側鏡止め具１６により係止された鏡１０上端に上フレーム１４を差し込むだけで取り付けられるので、上フレームと上目地とを別々に取り付ける場合に比べ、施工が容易である。
【００３１】
加えて、鏡１０が取り付けられる壁表面が平滑な場合、上側鏡止め具１６の上下にスライドする可動部材１８が滑り上がり易いが、溝構成板部１４ｅの頂点１４ｆ及び交点１４ｈに滑り止め部材としてのエラストマー１４ｉ，１４ｊが施されるので、可動部材１８の滑り上がりが防止される。  以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３２】
【図１】本発明に係る鏡フレームを備えるシステムバスの概要を示す図。
【図２】図１に示す鏡上縁周りの正面図。
【図３】図２中のＡ−Ａ矢視図。
【図４】（ａ）は可動部材が伸びた状態の上取付材の正面図、（ｂ）は同側面図、（ｃ）は可動部材が縮んだ状態の上取付材の正面図、（ｄ）は同側面図。
【図５】本発明に係る鏡フレームの縦断面図。
【図６】従来の鏡フレームの一例を示す正面図。
【図７】従来の鏡フレームの他の例を示す縦断面図で、（ａ）は鏡を立設する直前の状態を示す図、（ｂ）は鏡を立設し終えた状態を示す図。
【符号の説明】
【００３３】
１  システムバス
２  床
３  壁面
４  浴槽
５  天井
６  洗い場水栓
７  シャワー
８  アッパーカウンタ
９  ロアーカウンタ
１０  鏡
１３  下フレーム
１４  上フレーム
１４ａ  上フレーム板部
１４ｂ  垂直板部
１４ｃ  水平板部
１４ｄ  嵌合挟持溝
１４ｅ  溝構成板部
１４ｆ  頂点
１４ｇ  傾斜板部
１４ｈ  交点
１４ｉ，１４ｊ  エラストマー
１４ｋ  リブ
１４ｌ  切欠部
１４ｍ  ヒレ部
１６ 上側鏡止め具
１７  固定部材
１７ａ  縦ガイド溝
１７ｂ  ばね受部
１７ｃ  折曲部
１７ｄ  ねじ用孔
１８  可動部材
１８ａ  脚部
１８ｂ  鉤部
１８ｃ  ばね掛け部
１９  ばね
１９ａ  中央部
１９ｂ  基部
１９ｃ  傾斜部
１９ｄ  端末部
【図１】
0005120772.tif 000002
【図２】
0005120772.tif 000003
【図３】
0005120772.tif 000004
【図４】
0005120772.tif 000005
【図５】
0005120772.tif 000006
【図６】
0005120772.tif 000007
【図７】
0005120772.tif 000008